【手続補正書】
【提出日】平成16年6月22日(2004.6.22)
【手続補正１】
【補正対象書類名】明細書
【補正対象項目名】特許請求の範囲
【補正方法】変更
【補正の内容】
【特許請求の範囲】
【請求項１】
収容凹部が成形されたプラスチックトレーを一定速度で連続的に搬送し、その搬送途中で該プラスチックトレーに所定間隔に形成された収容凹部に被包装物品を投入収容した後、その下流側で該プラスチックトレーの表面に被覆材を熱接着して上記収容凹部を閉塞することにより、被包装物品をブリスタ包装する包装方法において、
搬送される上記プラスチックトレーの上面側近傍に、該プラスチックトレーの搬送方向と同一方向に回転する投入ドラムを配設し、該投入ドラムの外周面に上記被包装物品をドラム外周面から突出した状態に吸引保持し、このとき該被包装物品を上記プラスチックトレーに設けられた収容凹部の間隔よりも広い間隔をもって整列した状態で該投入ドラム表面に保持すると共に、該投入ドラムを上記プラスチックトレーの搬送速度よりも速い周面速度で回転させることにより、該投入ドラム外周面に突出した状態で保持された上記被包装物品を上記プラスチックトレーの収容凹部内に挿入し、該被包装物品を収容凹部内の搬送方向前端壁に当接させて位置合わせを行い、この状態で上記保持状態を解除することにより、上記プラスチックトレーの収容凹部に被包装物品を投入することを特徴とする包装方法。
【請求項２】
上記プラスチックトレーが、帯状に連続したプラスチックシートに多数の収容凹部を熱成形したＰＴＰシートである請求項１記載の包装方法。
【請求項３】
上記被包装物品が、錠剤又はカプセル剤等の固形医薬品又は食品である請求項１又は２に記載の包装方法。
【請求項４】
収容凹部が成形されたプラスチックトレーを一定速度で連続的に搬送し、その搬送途中で該プラスチックトレーに所定間隔に形成された収容凹部に被包装物品を投入収容した後、その下流側で該プラスチックトレーの表面に被覆材を熱接着して上記収容凹部を閉塞することにより、被包装物品をブリスタ包装する包装装置であって、
収容凹部が成形されたプラスチックトレーを一定速度で連続的に搬送する搬送部と、
該搬送部により搬送される上記プラスチックトレーの上面に外周面が近接した状態に配設され、外周面に上記被包装物品を突出した状態に保持し、上記プラスチックトレーよりも速い周面速度で回転する投入ドラムと、
被包装物品を整列させて所定の速度で上記投入ドラム外周面へと供給することにより、該被包装物品を上記プラスチックトレーに設けられた収容凹部の間隔よりも広い間隔をもって整列した状態で上記投入ドラム表面に保持させる供給部とを具備し、
上記供給部により被包装物品を上記投入ドラムの外周面に所定速度で供給し、該被包装物品を上記プラスチックトレーに設けられた収容凹部の間隔よりも広い間隔をもって整列した状態で該投入ドラム表面に保持し、該投入ドラムの回転によりこれを搬送して、上記搬送部により搬送されるプラスチックトレーの収容凹部内に挿入し、該被包装物品を収容凹部内の搬送方向前端壁に当接させて位置合わせを行い、この状態で保持状態を解除することにより、上記プラスチックトレーの収容凹部に被包装物品を投入するように構成したことを特徴とする包装装置。
【請求項５】
プラスチックシートに上記収容凹部を熱成形する熱成形ドラムと、このプラスチックシートを連続的に搬送する搬送ローラと、収容凹部内に被包装物品が収容されたプラスチックシートの表面に被覆材を連続的に熱接着するシール部と、該被覆材が熱接着されたプラスチックシートを所定長さに切断する裁断部とを具備し、
シートロールから上記プラスチックシートを連続的に繰り出して、上記搬送ローラで連続的に搬送すると共に、その搬送中に、上記熱成形ドラムによって収容凹部を熱成形し、該収容凹部内に上記投入ドラムから被包装物品を投入し、上記シール部で被覆材を熱接着し、上記裁断部で裁断するように構成した請求項４記載の包装装置。
【請求項６】
上記熱成形ドラムによってプラスチックシートに多数の収容凹部を成形してＰＴＰシートを成形し、被包装物品を投入した後、上記シール部で易破断性フィルムを熱接着して、ＰＴＰ包装を行う請求項５記載の包装装置。
【請求項７】
錠剤又はカプセル剤等の固形医薬品又は食品を包装するための装置である請求項４〜６のいずれか１項に記載の包装装置。
【手続補正２】
【補正対象書類名】明細書
【補正対象項目名】０００４
【補正方法】変更
【補正の内容】
【０００４】
この場合、プラスチックシートａに形成された収容凹部ｃ内に錠剤ｔを投入する上記投入機としては、例えば、特開２００１−２９４２０４号公報に記載された包装装置で用いられている投入機が挙げられる。この投入機は、図１１,１２に示したように、所定速度で回転する投入ドラムｇの外周面の最上部に錠剤ｔが供給され、内部が減圧状態に保たれた投入ドラムｇに形成された吸引孔ｈからの吸引力によってこの錠剤ｔが外周面に吸引保持されて該投入ドラムｇの回転により搬送され、投入ドラムｇの最下部でプラスチックシートａに形成された収容凹部ｃに錠剤ｔが挿入されると共に、このときノズルｉから噴射される圧空により吸引保持状態が解除されて、錠剤ｔがプラスチックトレーａの収容凹部ｃに投入されるものである。
【手続補正３】
【補正対象書類名】明細書
【補正対象項目名】０００８
【補正方法】変更
【補正の内容】
【０００８】
【課題を解決するための手段】
本発明は、上記目的を達成するため、収容凹部が成形されたプラスチックトレーを一定速度で連続的に搬送し、その搬送途中で該プラスチックトレーに所定間隔に形成された収容凹部に被包装物品を投入収容した後、その下流側で該プラスチックトレーの表面に被覆材を熱接着して上記収容凹部を閉塞することにより、被包装物品をブリスタ包装する包装方法において、搬送される上記プラスチックトレーの上面側近傍に、該プラスチックトレーの搬送方向と同一方向に回転する投入ドラムを配設し、該投入ドラムの外周面に上記被包装物品をドラム外周面から突出した状態に吸引保持し、このとき該被包装物品を上記プラスチックトレーに設けられた収容凹部の間隔よりも広い間隔をもって整列した状態で該投入ドラム表面に保持すると共に、該投入ドラムを上記プラスチックトレーの搬送速度よりも速い周面速度で回転させることにより、該投入ドラム外周面に突出した状態で保持された上記被包装物品を上記プラスチックトレーの収容凹部内に挿入し、該被包装物品を収容凹部内の搬送方向前端壁に当接させて位置合わせを行い、この状態で上記保持状態を解除することにより、上記プラスチックトレーの収容凹部に被包装物品を投入することを特徴とする包装方法を提供する。
【手続補正４】
【補正対象書類名】明細書
【補正対象項目名】０００９
【補正方法】変更
【補正の内容】
【０００９】
本発明の包装方法は、上述した従来の包装装置と同様に、複数の収容凹部が所定間隔で形成されたプラスチックトレーの上面側近傍に、このプラスチックトレーと同一方向に回転する投入ドラムを配設し、この投入ドラムの外周面に被包装物品を突出した状態に整列保持して搬送し、該被包装物品を上記収容凹部内に挿入してこの状態で保持状態を解除することにより、被包装物品をプラスチックトレーの収容凹部内に投入するものであるが、この場合本発明の包装方法では、該被包装物品を上記プラスチックトレーに設けられた収容凹部の間隔よりも広い間隔をもって整列した状態で該投入ドラム表面に保持すると共に、該投入ドラムを上記プラスチックトレーの搬送速度よりも速い周面速度で回転させるものである。
【手続補正５】
【補正対象書類名】明細書
【補正対象項目名】００１２
【補正方法】変更
【補正の内容】
【００１２】
また、本発明は、上記本発明の包装方法によりブリスタ包装を行う包装装置として、収容凹部が成形されたプラスチックトレーを一定速度で連続的に搬送し、その搬送途中で該プラスチックトレーに所定間隔に形成された収容凹部に被包装物品を投入収容した後、その下流側で該プラスチックトレーの表面に被覆材を熱接着して上記収容凹部を閉塞することにより、被包装物品をブリスタ包装する包装装置であって、収容凹部が成形されたプラスチックトレーを一定速度で連続的に搬送する搬送部と、該搬送部により搬送される上記プラスチックトレーの上面に外周面が近接した状態に配設され、外周面に上記被包装物品を突出した状態に保持し、上記プラスチックトレーよりも速い周面速度で回転する投入ドラムと、被包装物品を整列させて所定の速度で上記投入ドラム外周面へと供給することにより、該被包装物品を上記プラスチックトレーに設けられた収容凹部の間隔よりも広い間隔をもって整列した状態で上記投入ドラム表面に保持させる供給部とを具備し、上記供給部により被包装物品を上記投入ドラムの外周面に所定速度で供給し、該被包装物品を上記プラスチックトレーに設けられた収容凹部の間隔よりも広い間隔をもって整列した状態で該投入ドラム表面に保持し、該投入ドラムの回転によりこれを搬送して、上記搬送部により搬送されるプラスチックトレーの収容凹部内に挿入し、該被包装物品を収容凹部内の搬送方向前端壁に当接させて位置合わせを行い、この状態で保持状態を解除することにより、上記プラスチックトレーの収容凹部に被包装物品を投入するように構成したことを特徴とする包装装置を提供する。
【手続補正６】
【補正対象書類名】明細書
【補正対象項目名】００１５
【補正方法】変更
【補正の内容】
【００１５】
このように、この本発明の包装装置によれば、上記本発明の包装方法に従って錠剤やカプセル剤等の被包装物品が、ブラスチックトレーの収容凹部に確実に投入され、位置ズレに起因する包装不良を生じることなく、確実かつ安定的にＰＴＰ包装等のブリスタ包装を行うことができるものである。
【手続補正７】
【補正対象書類名】明細書
【補正対象項目名】００２５
【補正方法】変更
【補正の内容】
【００２５】
上記シュート２２の上端部には、図４に示されているように、コイル挿入孔２２１が設けられており、このコイル挿入口２２１に、錠剤ｔを径方向に沿って積重した状態で供給する適宜な機構（図示せず）に接続されたコイルシュート２１が連結されている。上記コイルシュート２１には、その内側に、錠剤ｔが径方向を上下にした直立状態で流通し得る幅の流通路２１１が形成されている。一方、シュート２２は、その内部にコイルシュート２１と同様に錠剤ｔが直立状態で流通し得る幅の錠剤供給路２２２が形成されており、上記錠剤供給路２２２は一端が上記流通路２１１と連結するように上記コイル挿入口２２１で開口し、コイル挿入口２２１から下方に向けて垂直に形成され、そのほぼ中間で斜行して、他端が供給ローラ３近傍で開口するように形成されている。なお、上記シュート２２には、上記錠剤供給路２２２が投入ドラム１の回転軸方向に複数（本例では６本）並列に設けられている。
【手続補正８】
【補正対象書類名】明細書
【補正対象項目名】００２６
【補正方法】変更
【補正の内容】
【００２６】
また、上記ガイド部４は上記シュート２２の下端部に一体的に形成されており、上記供給ローラ３と対向する面が、供給ローラ３の外周部に沿ってシュート２２の出口から供給ローラ３の最下部を経由して投入ドラム１の外周面近傍に達する略円弧状となっている。更に、この面には錠剤ｔの移動をガイドするガイド溝４１が上記錠剤供給路２２２から連続して形成されており、その先端が投入ドラム１の外周面に近接した状態となっている。
【手続補正９】
【補正対象書類名】明細書
【補正対象項目名】００２９
【補正方法】変更
【補正の内容】
【００２９】
上記供給部２は、図４に示されているように、上記供給ローラ３が、投入ドラム１の最上部から該投入ドラム１の反回転方向（図中時計周り方向）へ約４５度変位した位置に近接するように配設されており、この最上部から約４５度変位した位置において、投入ドラム１の外周面に錠剤ｔを所定速度で供給するようになっている。
【手続補正１０】
【補正対象書類名】明細書
【補正対象項目名】００４２
【補正方法】変更
【補正の内容】
【００４２】
このように、本発明の包装装置では、被包装物品の錠剤ｔを上記プラスチックトレーａに設けられた収容凹部ｃの間隔よりも広い間隔をもって整列した状態で該投入ドラム１の外周面に保持すると共に、該投入ドラム１を上記プラスチックトレーａの搬送速度よりも速い周面速度で回転させて、投入ドラム１の最下部で錠剤ｔをプラスチックトレーａの収容凹部ｃに投入するものである。これにより、投入ドラム１の外周面に保持された状態で収容凹部ｃ内に挿入された錠剤ｔが、収容凹部ｃ内の搬送方向前端壁に当接して位置合わせが自動的に行われ、この状態で保持状態が解除されることにより、上記プラスチックトレーａの収容凹部ｃに錠剤ｔが投入されることになる。
【手続補正１１】
【補正対象書類名】明細書
【補正対象項目名】００４５
【補正方法】変更
【補正の内容】
【００４５】
また、包装装置の構成も、被包装物品の種類等に応じて適宜変更することができ、例えば、投入ドラム１へと錠剤ｔを供給する供給部２の構成を、図９に示したように、ソフトカプセル剤ｕを収容して切り出す切出凹部３２を供給ローラ３の外周面に形成すると共に、シュート２を供給ローラ３の外周面最上部上方に配設して、ソフトカプセル剤ｕが供給ローラ３の外周面最上部上方で上記切出凹部３２により切り出されるように構成し、ソフトカプセル剤ｕを投入ドラム１の外周面に供給し、これをＰＴＰ包装するようにすることもできる。なお、図９において、その他の構成及び作用効果は、上記実施例と同様であるので、同一の構成部分に同一の参照符号を付してその説明を省略する。